(57)【要約】【課題】アンテナの表面に貼り付けられた外装基材を剥がして不正開封しようとすると、アンテナが破損して識別情報の読み取りが不能となり、不正開封されていることを明確に識別できるようにするインレットアンテナ、インレットアンテナ装置、及びその製造方法を提供する。【解決手段】被着体１７に貼り付けられるインレットアンテナ１２であって、金属箔１２ａで形成したアンテナパターンと、アンテナパターン（金属箔１２ａ）の一面側に樹脂材を塗布して膜状に形成した樹脂層１１と、を備える。【選択図】図１
2019009701.tif 000002
【特許請求の範囲】
【請求項１】
被着体に貼り付けられるインレットアンテナであって、
金属箔で形成したアンテナパターンと、
前記アンテナパターンの一面側に樹脂材を塗布して膜状に形成した樹脂層と、
を備えることを特徴とするインレットアンテナ。
【請求項２】
前記アンテナパターンに、該アンテナパターンを脆弱化する複数のスリットを設けている、ことを特徴とする請求項１に記載のインレットアンテナ。
【請求項３】
被着体に貼り付けられるインレットアンテナ装置であって、
金属箔で形成したアンテナパターンと、前記アンテナパターンの一面側に樹脂材を塗布して膜状に形成した樹脂層と、を有するアンテナと、
前記アンテナパターンの他面側に配置したＩＣチップと、
を備えることを特徴とするインレットアンテナ装置。
【請求項４】
前記アンテナパターンは、アルミニウム箔又は銅箔を用いている、ことを特徴とする請求項３に記載のインレットアンテナ装置。
【請求項５】
前記アンテナパターンに、該アンテナパターンを脆弱化する複数のスリットを設けている、ことを特徴とする請求項３又は４に記載のインレットアンテナ装置。
【請求項６】
前記アンテナの前記一面側に設けた弱接着層と、
前記弱接着層の粘着力よりも強い粘着力を有して前記アンテナの前記他面側に設けた強接着層と、
前記アンテナの前記一面側に前記弱接着層を介して貼り付けられたシート状の外装部材と、
を備え、前記アンテナを被着体に前記強接着層を介して取り付ける、ことを特徴とする請求項３、４又は５に記載のインレットアンテナ装置。
【請求項７】
金属箔の一面側に液状の樹脂材を塗布し、かつ前記樹脂材を固化させて前記金属箔の前記一面側に膜状の樹脂層を形成した後、
前記金属箔をエッチング加工し、
前記樹脂層の表面上に所定のパターンを有したアンテナを形成する、
ことを特徴とするインレットアンテナの製造方法。
【請求項８】
金属箔の一面側に液状の樹脂材を塗布して前記金属箔の前記一面側に膜状の樹脂層を形成する樹脂層形成工程と、
前記金属箔をエッチング加工して、前記樹脂層の一面側に所定のパターンを有したアンテナを形成するアンテナ形成工程と、
識別信号が書き込まれたＩＣチップを前記アンテナの他面側に配設するＩＣチップ配設工程と、
前記アンテナの一面側に弱接着層を設ける弱接着層形成工程と、
前記アンテナ一の面側に前記弱粘着層を介して外装基材を貼り付ける外装基材貼り付け工程と、
前記アンテナの前記他面側に前記弱接着層の粘着力よりも強い粘着力を有した強接着層を設ける強接着層形成工程と、
を備える、ことを特徴とするインレットアンテナ装置の製造方法。
【発明の詳細な説明】
【技術分野】
【０００１】
本発明は、インレットアンテナ、インレットアンテナ装置、及びそれらの製造方法に関するものである。
【背景技術】
【０００２】
従来から、各種の食料品や飲料水、及び、パソコン用のパッケージソフト等、比較的高価な商品等においては、各種商品の改ざんの防止や真贋を判定するのに、商品や商品を包装する容器及び化粧箱等の被着体に封印ラベルや封印シールを貼着する方法が知られている（例えば、特許文献１参照）。
【０００３】
この封印ラベルや封印シールは、そのラベルやシールを剥がして商品やケース等を不正開封し、中身の商品にいたずらをしたり、偽物の商品と交換したりするのを防止するために、商品やケースの開封部分にオーバーラップさせて貼着使用されている。
【０００４】
このような従来の封印ラベルやシールは、例えば、通常のラベルに、切り込みを入れ、ラベルを剥がして開封しようとすると、そのラベルの切り込みがきっかけとなって、容易にラベル基材に亀裂や切目が生じて破壊するようになっている。
【０００５】
そのため、開封された商品本体やケースを再度封印しようとして、その封印ラベルの貼着を試みても、ラベル基材が破壊しているために使用ができない。また、例え貼着が出来たとしても、そのラベルには外観上、亀裂や切目が生じているために、明確に開封されていることを目視にて識別することができる。
【０００６】
このように、改ざん防止機能や不正開封防止機能を備えたラベルは、容器等の被貼着体に貼着された状態から一旦剥がした場合は、再度の貼着が不可能であったり、元のラベルの形状に戻らないようになっているため、ラベルの復元が困難であり、被貼着体から不正に剥がしたり、不正に開封したことを容易に認知することができる。
【先行技術文献】
【特許文献】
【０００７】
【特許文献１】特開平７−１４６６５１号公報
【発明の概要】
【発明が解決しようとする課題】
【０００８】
しかしながら、上記封印されているラベルやシールと外観的に同じような、偽物の封印ラベルやシールによって、その商品本体やケースの開封部分を封印した場合には、一見してラベルが剥がされ、不正開封されているとは識別できない場合がある。
【０００９】
そこで、アンテナの表面に貼り付けられた各種商品の封印ラベル又はシール等の外装基材を剥がして不正開封しようとすると、アンテナが破損して識別情報の読み取りが不能となり、不正開封されていることを明確に識別できるようにするインレットアンテナ、インレットアンテナ装置、及びその製造方法を提供するために解決すべき技術的課題が生じてくるのであり、本発明はこの課題を解決することを目的とする。
【課題を解決するための手段】
【００１０】
本発明は上記目的を達成するために提案されたものであり、請求項１に記載の発明は、被着体に貼り付けられるインレットアンテナであって、金属箔で形成したアンテナパターンと、前記アンテナパターンの一面側に樹脂材を塗布して膜状に形成した樹脂層と、を備えるインレットアンテナを提供する。
【００１１】
この構成によれば、金属箔で形成したアンテナパターンは、膜状をした樹脂層の上に形成されて脆弱になっているので、被着体に貼り付けられた後から剥がすと破損してアンテナとしての機能が不能になり、再び貼り付けても、一度不正開封されたことが明確に識別できる。
【００１２】
請求項２に記載の発明は、請求項１に記載の構成において、前記アンテナパターンに、該アンテナパターンを脆弱化する複数のスリットを設けている、インレットアンテナを提供する。
【００１３】
この構成によれば、アンテナパターンは複数のスリットにより更に脆弱化されて、再使用を更に難しくすることができる。
【００１４】
請求項３に記載の発明は、被着体に貼り付けられるインレットアンテナ装置であって、金属箔で形成したアンテナパターンと、前記アンテナパターンの一面側に樹脂材を塗布して膜状に形成した樹脂層と、を有するアンテナと、前記アンテナパターンの他面側に配置したＩＣチップと、を備えるインレットアンテナ装置を提供する。
【００１５】
この構成によれば、金属箔で形成したアンテナパターンは膜状の樹脂層の上に形成されて脆弱になっているので、被着体に貼り付けられた後から剥がすと、アンテナが破損して機能不能になり、再び貼り付けても、一度不正開封されたことが明確に識別できる。
【００１６】
請求項４に記載の発明は、請求項３に記載の構成において、前記アンテナパターンは、アルミニウム箔又は銅箔を用いている、インレットアンテナ装置を提供する。
【００１７】
この構成によれば、アルミニウム箔又は銅箔の表面に、例えばレジストインキ層でマスクしてエッチング加工すると、樹脂層の表面にアンテナパターンを容易に形成することができる。これにより、経済性及び信頼性に寄与する。
【００１８】
請求項６に記載の発明は、請求項３、４又は５に記載の構成において、前記アンテナの前記一面側に設けた弱接着層と、前記弱接着層の粘着力よりも強い粘着力を有して前記アンテナの前記他面側に設けた強接着層と、前記アンテナの前記一面側に前記弱接着層を介して貼り付けられたシート状の外装部材と、を備え、前記アンテナを被着体に前記強接着層を介して取り付ける、インレットアンテナ装置を提供する。
【００１９】
この構成によれば、被着体に一度貼り付けられた後は、外装基材を剥がそうとすると、粘着力が強い強接着層の粘着力で被着体に貼り付けられている樹脂層は、被着体に貼り付けられたまま残る。一方、粘着力の弱い弱接着層を使用して貼り付けられている外装基材は、その弱接着層と一緒に容易に剥がれる。また、外装基材が弱接着層と一緒に剥がれるとき、金属箔で形成されているアンテナパターンの一部が弱接着層に付着して剥がれ、そして破れてアンテナが破壊される。アンテナが破壊されると、再び貼り付けても、一度不正開封されたことが明確に判別できる。
【００２０】
請求項７に記載の発明は、金属箔の一面側に液状の樹脂材を塗布し、かつ前記樹脂材を固化させて前記金属箔の前記一面側に膜状の樹脂層を形成した後、前記金属箔をエッチング加工し、前記樹脂層の一面側に所定のパターンを有したアンテナを形成する、インレットアンテナの製造方法を提供する。
【００２１】
この製造方法によれば、膜状の樹脂層の表面上に、所定のパターンを有したアンテナを容易に形成することができる。
【００２２】
請求項８に記載の発明は、金属箔の一面側に液状の樹脂材を塗布して前記金属箔の前記一面側に膜状の樹脂層を形成する樹脂層形成工程と、前記金属箔をエッチング加工して、前記樹脂層の一面側に所定のパターンを有したアンテナを形成するアンテナ形成工程と、識別信号が書き込まれたＩＣチップを前記アンテナの他面側に配設するＩＣチップ配設工程と、前記アンテナの一面側に弱接着層を設ける弱接着層形成工程と、前記アンテナ一の面側に前記弱粘着層を介して外装基材を貼り付ける外装基材貼り付け工程と、前記アンテナの前記他面側に前記弱接着層の粘着力よりも強い粘着力を有した強接着層を設ける強接着層形成工程と、を備えるインレットアンテナ装置の製造方法を提供する。
【００２３】
この製造方法によれば、被着体に一度貼り付けられた後から外装基材を剥がすと、外装基材が剥がれるときに、アンテナパターンの一部が外装基材に付着して一緒に剥がれ、アンテナパターンの一部が破壊されてＩＣチップに書き込まれている識別情報の読み取りが不能となる。これにより、一度不正開封されていることが明確に識別できる、個別情報が書き込まれたＩＣチップ付のインレットアンテナ装置を容易に得ることができる。
【発明の効果】
【００２４】
本発明によれば、金属箔で形成されたアンテナパターンは膜状の樹脂層の上に形成されて脆弱になっているので、被着体に一旦貼り付けられた後から剥がすとアンテナが破損して機能不能となり、再び貼り付けても一度不正開封されていることが明確に識別できる。したがって、封印されているラベルやシールと外観的に同じような、偽物の封印ラベルやシールと交換して開封を隠蔽しようとしても、不正を見抜くことができるので、信頼性の向上に寄与する。
【図面の簡単な説明】
【００２５】
【図１】本発明のインレットアンテナ装置の一実施例の断面構造を模式的に示した図である。
【図２】本発明のインレットアンテナの製造方法の一例を説明する模式的に示した断面図である。
【発明を実施するための形態】
【００２６】
本発明はアンテナの表面に貼り付けられた各種商品の封印ラベル又はシール等の外装基材を剥がして不正開封しようとすると、アンテナが破損して識別情報の読み取りが不能となり、不正開封されていることを明確に識別できるようにするインレットアンテナ、インレットアンテナ装置、及びそれらの製造方法を提供するという目的を達成するために、被着体に貼り付けられるインレットアンテナであって、金属箔で形成したアンテナパターンと、前記アンテナパターンの一面側に樹脂材を塗布して膜状に形成した樹脂層と、を備える構成にしたことにより実現した。
【００２７】
以下、本発明を実施するための形態を添付図面に基づいて詳細に説明する。なお、以下の説明では、表裏、上下等の方向を示す表現は、絶対的なものではなく、本発明のインレットアンテナ装置が描かれている姿勢である場合に適切であるが、その姿勢が変化した場合には姿勢の変化に応じて変更して解釈されるべきものである。
【実施例】
【００２８】
図１は、本発明のインレットアンテナ装置１０の一実施例の断面構造を模式的に示した図である。図１に示すインレットアンテナ装置１０は、ＲＦＩＤ（radio frequency identificationの略）用インレットアンテナ装置であり、膜状をした樹脂層１１と、樹脂層１１の下面側に金属箔１２ａで所定の形状をしたアンテナパターンを形成しているアンテナ１２と、アンテナ１２の裏面側に配設されているＩＣチップ１３と、樹脂層１１の上面側に塗布されている弱粘着層１４と、弱粘着層１４を介して樹脂層１１の上面側に貼り付けられている外装基材１５と、アンテナ１２とＩＣチップ１３を覆って塗布されている強粘着層１６と、を有している。そして、インレットアンテナ装置１０は、強接着層１６の粘着力で被着体１７に貼り付けられる。
【００２９】
アンテナ１２は、導電材である金属箔１２ａの一面（上面）側に樹脂材を塗布し、その樹脂材を固化させることにより、金属箔１２ａの一面側に薄い膜状をした樹脂層１１を一体に形成し、その後、金属箔１２ａの他面（下面）側に図示しないレジストインキをマスクとして塗布または印刷し、さらに金属箔１２ａをエッチング加工して、樹脂層１１の表面に金属回路パターン、つまり所定のアンテナパターン設けた構造になっている。また、樹脂層１１と対抗するアンテナ１２の他面（下面）側にはＩＣチップ１３が配設されて、アンテナ１２と電気的に接続固定される。
【００３０】
ＩＣチップ１３には、ラベルやシールの偽造を防止する真贋判定用の固有の識別情報を書き込むことが可能であり、その識別情報等の読み書きはアンテナ１２を介し行うことができるようになっている。
【００３１】
すなわち、このアンテナ１２は、ＩＣチップ１３と共にＲＦタグを構成しており、電波を用いてＲＦタグのデータを非接触で読み書きできるようになっている。なお、アンテナ１２は、アンテナパターンを形成するとき、このアンテナパターンを脆弱化する目的で金属箔１２ａに複数のスリットを設けている。
【００３２】
また、金属箔１２ａとしては、アルミニウム箔、銅箔、ステンレス鋼箔、チタン箔、錫泊等から選ばれた少なくとも１種を用いることができる。さらに、これら金属箔１２ａの中でも、経済性、信頼性の点からアルミニウム箔又は銅箔を用いるのが最も好ましい。また、アルミニウム箔とは、純アルミニウム箔に限定されるものではなく、アルミニウム合金も含む。
【００３３】
樹脂層１１は、使用する樹脂材として、例えば、ポリエチレン、ポリエチレン、ポリプロピレン、ポリエチレンテレフタレート、ポリエチレンナフタレート、ポリカーボネート、ポリ塩化ビニル、ポリイミド、非結晶ポリエチレンテレフタレート、液晶ポリマー等が挙げられる。その樹脂層１１は、金属箔１２ａの一面（上面）側に、液状をした樹脂材を層状に塗布し、その後、固化させて金属箔１２ａの一面（上面）側に樹脂材を膜状に積層形成している。なお、膜状に形成される樹脂層１１の厚みは約１３〜１５μｍであり、この樹脂層１１は固化後も自由に屈曲できるように可撓性を持たせている。
【００３４】
外装基材１５は、各種商品の封印ラベル又はシール等であり、紙やプラスチック材でシート状に形成されている。一方、被着体１７は、各種商品本体である。
【００３５】
弱粘着層１４は、樹脂層１１の表面に接着剤を塗布して形成された粘着層であり、強粘着層１６は樹脂層１１を、アンテナ１２と共に被着体１７の外面等に貼り付けるために、樹脂層１１の裏面（下面）側に塗布された接着剤の層である。ここでの強粘着層１６の粘着力は、弱粘着層１４の粘着力よりも十分強い粘着力を有している。なお、弱粘着層１４で使用する接着剤は、例えばゴム系接着剤であり、強粘着層１６で使用する接着剤は、例えばアクリル系接着剤である。また、これら弱粘着層１４、強粘着層１６は、両面接着テープを使用してもよい。
【００３６】
次に、このように構成されたインレットアンテナ装置１０の作用を説明する。通常、インレットアンテナ装置１０は、強粘着層１６で各種商品本体である被着体１７の外面等に強固に貼り付けられて封印された状態で保持されている。したがって、この正規に封印された状態では、アンテナ１２を介してＩＣチップ１３から発信されて来る商品に関するラベル識別情報信号（固有の識別信号）は、図示しないリーダーライターで受信して、非接触で読み取ることができる。また、その商品に関する必要なラベル識別情報信号（固有の識別信号）を、アンテナ１２を介してＩＣチップ１３に非接触で書き込むこともできる。
【００３７】
そして、インレットアンテナ装置１０で、被着体１７を一度封印した後は、外装基材１５を非粘着体１７から剥がして開封すると、剥がす時に弱粘着層１４よりも粘着力の強い強粘着層１６で被着体１７に貼り付けられている樹脂層１１は、強粘着層１６で被着体１７に貼り付けられたまま被着体１７側に残るが、強粘着層１６以外の粘着力の弱い弱粘着層１４を使用して貼り付けられている外装基材１５側は、弱粘着層１４と一緒に比較的簡単に剥がされる。
【００３８】
また、外装基材１５が弱粘着層１４と一緒に剥がれるとき、アンテナ１２のアンテナパターン（金属箔１２ａ）の一部が弱粘着層１４に付着し、アンテナパターンを破りながら剥がされる。このようにしてアンテナパターンの一部が破られてアンテナ１２が破壊されると、ＩＣチップ１３に書き込まれている固有の識別情報の読み取りが不能になる。この識別情報の読み取り不能により、一度不正開封されていることを知ることができる。
【００３９】
したがって、この実施例の構造によれば、外装基材１５を剥がす時に、アンテナパターン（金属箔１２ａ）の一部を破壊してしまうので、例え、封印されているラベルやシール等の外装基材１５と外観的に似ているような、偽物の封印ラベルやシールと交換をして開封を隠蔽しようとしても、確実に不正を見抜くことができる。これにより、信頼性の向上に寄与する。特に、金属箔１２aには脆弱性を持たせるための複数のスリットを設けているので、外装基材１５を剥した時、外装基材１５に付着して剥がされるアンテナパターン（金属箔１２ａ）がスリットにより簡単に破れ、アンテナ１２が破壊される。
【００４０】
次に、インレットアンテナ装置１０の製造方法の一例を（１）から（６）の順に説明する。
【００４１】
（１）まず、図２の（ａ）に示すように、金属箔１２ａの一面（上面）側に、液状の樹脂材を塗布し、かつ、その樹脂材を固化させて、金属箔１２ａの一面側に膜状の樹脂層１１を形成する（樹脂層形成工程）。
【００４２】
（２）次いで、金属箔１２ａの他面（下面）側に、レジストインキ等で所定のアンテナパターンを塗布又は印刷する。また、印刷後、エッチング加工をして、レジストインキ等が塗布又は印刷されたアンテナパターン以外の金属箔１２aを取り除き、つまり膜状をした樹脂層１１の表面に金属箔１２ａの金属パターンを残し、樹脂層１１の表面にこの樹脂層１１と一体化されたアンテナ１２を形成する（アンテナ形成工程）。図２の（ｂ）は、そのエッチング加工されて、樹脂層１１の表面にパターン化した金属箔１２aを一体化して設けられたアンテナ１２を示している。
【００４３】
（３）次に、樹脂層１１と対抗するアンテナ１２の他面側に、識別信号が書き込まれたＩＣチップ１３を配設して電気的に接続固定する（ＩＣチップ配設工程）。
【００４４】
（４）次に、アンテナ１２の一面、つまり樹脂層１１の上面側に弱粘着層１４を塗布又は貼着して積層形成し（弱接着層形成工程）、さらに弱粘着層１４の上面に外装基材１５を貼り付ける（外装基材貼り付け工程）。
【００４５】
（５）次に、アンテナ１２の他面、つまりアンテナ１２の下面側に前記弱接着層の粘着力よりも強い粘着力を有した強接着層１６を塗布又は貼着して積層形成する（強接着層形成工程）。
【００４６】
（６）また、強粘着層１６を形成したら、この強粘着層１６を用いて樹脂層１１の裏面側を各種商品である被着体１７に貼り付ける。これにより、インレットアンテナ装置１０が被着体１７上に配設される。
【００４７】
なお、本発明は、本発明の精神を逸脱しない限り種々の改変を為すことができ、そして、本発明が該改変されたものに及ぶことは当然である。
【符号の説明】
【００４８】
１０      インレットアンテナ装置
１１      樹脂層
１２      アンテナ
１２ａ    金属箔
１３      ＩＣチップ
１４      弱粘着層
１５      外装基材
１６      強粘着層
１７      被着体
【図１】
2019009701.tif 000003
【図２】
2019009701.tif 000004
【手続補正書】
【提出日】平成30年2月22日(2018.2.22)
【手続補正１】
【補正対象書類名】特許請求の範囲
【補正対象項目名】全文
【補正方法】変更
【補正の内容】
【特許請求の範囲】
【請求項１】
被着体に貼り付けられるインレットアンテナ装置であって、
金属箔で形成したアンテナパターンと、前記アンテナパターンの一面側に樹脂材を塗布して膜状に形成した樹脂層と、を有するアンテナと、
前記アンテナパターンの他面側に配置したＩＣチップと、
前記アンテナの前記一面側に設けた弱接着層と、
前記弱接着層の粘着力よりも強い粘着力を有し、前記アンテナの前記他面側に設けられ、前記被着体に取り付けられる強接着層と、
前記アンテナの前記一面側に前記弱接着層を介して貼り付けられたシート状の外装部材と、
を備えることを特徴とするインレットアンテナ装置。
【請求項２】
前記アンテナパターンは、アルミニウム箔又は銅箔を用いている、ことを特徴とする請求項１に記載のインレットアンテナ装置。
【請求項３】
前記アンテナパターンに、該アンテナパターンを脆弱化する複数のスリットを設けている、ことを特徴とする請求項１又は２に記載のインレットアンテナ装置。
【請求項４】
被着体に貼り付けられるインレットアンテナ装置の製造方法であって、
金属箔の一面側に液状の樹脂材を塗布して前記金属箔の前記一面側に膜状の樹脂層を形成する樹脂層形成工程と、
前記金属箔をエッチング加工して、前記樹脂層の一面側に所定のパターンを有したアンテナを形成するアンテナ形成工程と、
識別信号が書き込まれたＩＣチップを前記アンテナの他面側に配設するＩＣチップ配設工程と、
前記アンテナの一面側に弱接着層を設ける弱接着層形成工程と、
前記アンテナ一の面側に前記弱粘着層を介して外装基材を貼り付ける外装基材貼り付け工程と、
前記アンテナの前記他面側に前記弱接着層の粘着力よりも強い粘着力を有して前記被着体に取り付けられる強接着層を設ける強接着層形成工程と、
を備える、ことを特徴とするインレットアンテナ装置の製造方法。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
請求項１に記載の発明は、被着体に貼り付けられるインレットアンテナ装置であって、金属箔で形成したアンテナパターンと、前記アンテナパターンの一面側に樹脂材を塗布して膜状に形成した樹脂層と、を有するアンテナと、前記アンテナパターンの他面側に配置したＩＣチップと、前記アンテナの前記一面側に設けた弱接着層と、前記弱接着層の粘着力よりも強い粘着力を有し、前記アンテナの前記他面側に設けられ、前記被着体に取り付けられる強接着層と、前記アンテナの前記一面側に前記弱接着層を介して貼り付けられたシート状の外装部材と、を備えるインレットアンテナ装置を提供する。
【手続補正７】
【補正対象書類名】明細書
【補正対象項目名】００１５
【補正方法】変更
【補正の内容】
【００１５】
この構成によれば、金属箔で形成したアンテナパターンは膜状の樹脂層の上に形成されて脆弱になっているので、被着体に貼り付けられた後から剥がすと、アンテナが破損して機能不能になり、再び貼り付けても、一度不正開封されたことが明確に識別できる。また、被着体に一度貼り付けられた後は、外装基材を剥がそうとすると、粘着力が強い強接着層の粘着力で被着体に貼り付けられている樹脂層は、被着体に貼り付けられたまま残る。一方、粘着力の弱い弱接着層を使用して貼り付けられている外装基材は、その弱接着層と一緒に容易に剥がれる。
【手続補正８】
【補正対象書類名】明細書
【補正対象項目名】００１６
【補正方法】変更
【補正の内容】
【００１６】
請求項２に記載の発明は、請求項１に記載の構成において、前記アンテナパターンは、アルミニウム箔又は銅箔を用いている、インレットアンテナ装置を提供する。
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】変更
【補正の内容】
【００２２】
請求項４に記載の発明は、被着体に貼り付けられるインレットアンテナ装置の製造方法であって、金属箔の一面側に液状の樹脂材を塗布して前記金属箔の前記一面側に膜状の樹脂層を形成する樹脂層形成工程と、前記金属箔をエッチング加工して、前記樹脂層の一面側に所定のパターンを有したアンテナを形成するアンテナ形成工程と、識別信号が書き込まれたＩＣチップを前記アンテナの他面側に配設するＩＣチップ配設工程と、前記アンテナの一面側に弱接着層を設ける弱接着層形成工程と、前記アンテナ一の面側に前記弱粘着層を介して外装基材を貼り付ける外装基材貼り付け工程と、前記アンテナの前記他面側に前記弱接着層の粘着力よりも強い粘着力を有して前記被着体に取り付けられる強接着層を設ける強接着層形成工程と、を備えるインレットアンテナ装置の製造方法を提供する。
【手続補正１４】
【補正対象書類名】明細書
【補正対象項目名】００２４
【補正方法】変更
【補正の内容】
【００２４】
本発明によれば、金属箔で形成されたアンテナパターンは膜状の樹脂層の上に形成されて脆弱になっているので、被着体に一旦貼り付けられた後から剥がすとアンテナが破損して機能不能となり、再び貼り付けても一度不正開封されていることが明確に識別できる。したがって、封印されているラベルやシールと外観的に同じような、偽物の封印ラベルやシールと交換して開封を隠蔽しようとしても、不正を見抜くことができるので、信頼性の向上に寄与する。また、被着体に一度貼り付けられた後は、外装基材を剥がそうとすると、粘着力が強い強接着層の粘着力で被着体に貼り付けられている樹脂層は、被着体に貼り付けられたまま残る。一方、粘着力の弱い弱接着層を使用して貼り付けられている外装基材は、その弱接着層と一緒に容易に剥がれる。